(57)【要約】本発明は、メールアドレス情報の秘匿方法及び装置を提供する。メールアドレス情報の秘匿方法は、送信者がメールを送る時、秘匿グループアドレスを取得するステップと、上記送信者のメールアドレスを上記秘匿グループアドレスに置き換えるステップと、受信者のメールアドレスへ上記メールを送るステップとを含む。本発明のメールアドレス情報の秘匿方法及び装置は、送信者のメールアドレスを秘匿グループアドレスに置き換えることにより、送信者のメールアドレス情報の秘匿を実現する。
2013541298.tif 000002
【特許請求の範囲】
【請求項１】
メールアドレスの秘匿方法であって、
メールを送る時、秘匿グループアドレスを取得するステップと、
該メールの送信者のメールアドレスを該秘匿グループアドレスに置き換え、該メールの受信者のメールアドレスへ該メールを送るステップと、を含むことを特徴とするメールアドレスの秘匿方法。
【請求項２】
該メールの受信者は複数であり、
該受信者のメールアドレスへ該メールを送るステップは、受信者の数に基づいて対応する一対一のメールを生成し、該受信者のメールアドレスへ該メールを送ることを含むことを特徴とする請求項１に記載の秘匿方法。
【請求項３】
メールを送る前に、該方法は、さらに、該送信者から作成リクエストを受けて連絡先からなる秘匿グループを作成するステップを含み、
該連絡先は、該送信者と該受信者とを含むことを特徴とする請求項１に記載の秘匿方法。
【請求項４】
該秘匿グループアドレスを取得するステップは、
ランダム生成された秘匿グループアドレスを取得することを含むことを特徴とする請求項３に記載の秘匿方法。
【請求項５】
該秘匿グループアドレスは、ユーザ名とドメイン名アドレスとを含み、
該秘匿グループアドレスのユーザ名は、該送信者のメールアドレスのユーザ名及び／又は該受信者のメールアドレスのユーザ名に基づいて暗号化アルゴリズムにより得られたユーザ名を含み、
該秘匿グループアドレスのドメイン名アドレスは、該送信者のメールアドレスのドメイン名アドレスを含むことを特徴とする請求項４に記載の秘匿方法。
【請求項６】
該秘匿グループアドレスのユーザ名は、さらに秘匿グループ識別子を含むことを特徴とする請求項５に記載の秘匿方法。
【請求項７】
該方法は、１つのサーバに該秘匿グループアドレスと該秘匿グループ内の連絡先との対応関係を記憶させるステップをさらに含むことを特徴とする請求項１に記載の秘匿方法。
【請求項８】
メールアドレスの秘匿装置であって、
メールを受ける受信ユニットと、
秘匿グループアドレスを取得する取得ユニットと、
送信者のメールアドレスを該秘匿グループアドレスに置き換え、受信者のメールアドレスへ該メールを送る第一伝送ユニットと、を含むことを特徴とするメールアドレスの秘匿装置。
【請求項９】
該第一伝送ユニットは、受信者の数に基づいて対応する一対一のメールを作成し、該受信者のメールアドレスへ該メールを送ることを特徴とする請求項８に記載の秘匿装置。
【請求項１０】
該装置は、さらに、該送信者の作成リクエストを受けて連絡先からなる秘匿グループを作成する作成ユニットを含み、
該連絡先は、該送信者と該受信者とを含むことを特徴とする請求項８に記載の秘匿装置。
【請求項１１】
該装置は、さらに、該秘匿グループアドレスをランダム生成する生成ユニットを含むことを特徴とする請求項１０に記載の秘匿装置。
【請求項１２】
該装置は、さらに、該秘匿グループアドレスと該秘匿グループ内の連絡先との対応関係を記憶する記憶ユニットを含むことを特徴とする請求項８に記載の秘匿装置。
【請求項１３】
メールアドレスの秘匿方法であって、
メールを受けるステップと、
該メールの受信者のメールアドレスが秘匿グループアドレスであることを確認し、かつ該秘匿グループアドレスと該秘匿グループ内の連絡先との対応関係に基づいて該メールの送信者が秘匿グループ内の連絡先に属することを確認した時、該メールの送信者のメールアドレスを該秘匿グループアドレスに置き換えるステップと、
該秘匿グループ内の該メールの送信者以外の連絡先へ該メールを送るステップと、を含むことを特徴とするメールアドレスの秘匿方法。
【請求項１４】
該メールの受信者のメールアドレスが秘匿グループアドレスであるかどうかを確認することは、秘匿グループ識別子に基づいて行われることを特徴とする請求項１３に記載の秘匿方法。
【請求項１５】
メールアドレスの秘匿装置であって、
メールを受ける受信ユニットと、
該メールの受信者のメールアドレスが秘匿グループアドレスであることを確認し、かつ該秘匿グループアドレスと該秘匿グループ内の連絡先との対応関係に基づいて該メールの送信者が秘匿グループ内の連絡先に属することを確認した時、該メールの送信者のメールアドレスを該秘匿グループアドレスに置き換える置換ユニットと、
該秘匿グループ内の該メールの送信者以外の連絡先へ該メールを送る第二伝送ユニットと、を含むことを特徴とするメールアドレスの秘匿装置。
【請求項１６】
該装置は、秘匿グループ識別子に基づいて該メールの受信者のメールアドレスが秘匿グループアドレスであるかどうかを確認する確認ユニットを含むことを特徴とする請求項１５に記載の秘匿装置。
【発明の詳細な説明】
【技術分野】
【０００１】
本発明は、通信技術に関し、特にメールアドレスの秘匿方法及び装置に関する。
【背景技術】
【０００２】
現在、電子メールを送る時、宛先欄に受信者のメールアドレスを直接入力するか、又はアドレス帳から受信者のメールアドレスを選択することができる。メールを送ったことが確認されたら、メールサーバは、受信者のメールアドレスを解析し、メールを対応するドメインの目標メールサーバへ送り、続いて受信者のメールボックスへ配送する。
【０００３】
多くの人へ電子メールを送る時、即ちメールのグループ送信を行う時、直接入力するか、又は複数の受信者のメールアドレスを選択することができる。或いは、予めメールを受ける複数の連絡先アドレスを集めてメールグループを作成し、１つのメールグループ名にすることもできる。そうすれば、直接入力するか又は上記グループ名を選択することにより、グループ内の全ての連絡先に対してメールを送ることができる。
しかし、受信者が送信者からのメールを転送する時、送信者のメールアドレス情報は秘匿されない。
【発明の概要】
【発明が解決しようとする課題】
【０００４】
本発明の目的は、送信者のメールアドレス情報の秘匿を実現するメールアドレスの秘匿方法及び装置を提供する。
【課題を解決するための手段】
【０００５】
本発明の目的は、下記技術思想により実現される。
【０００６】
本発明のメールアドレスの秘匿方法は、
送信者がメールを送る時、秘匿グループアドレスを取得するステップと、
上記送信者のメールアドレスを上記秘匿グループアドレスに置き換え、受信者のメールアドレスへ上記メールを送るステップと、を含む。
【０００７】
本発明のメールアドレスの秘匿装置は、
送信者がメールを送る時、秘匿グループアドレスを取得する取得ユニットと、
上記送信者のメールアドレスを上記秘匿グループアドレスに置き換え、受信者のメールアドレスへ上記メールを送る第一伝送ユニットと、を含む。
【０００８】
本発明のメールアドレスの秘匿方法は、
メールを受けるステップと、
上記メールの受信者のメールアドレスが秘匿グループアドレスであることを確認し、かつ上記秘匿グループアドレスと上記秘匿グループ内の連絡先との対応関係に基づいて上記メールの送信者が秘匿グループ内の連絡先に属することを確認した時、上記メールの送信者のメールアドレスを上記秘匿グループアドレスに置き換えるステップと、
上記秘匿グループ内の上記メールの送信者以外の連絡先へ上記メールを送るステップと、を含む。
【０００９】
本発明のメールアドレスの秘匿装置は、
メールを受ける受信ユニットと、
上記メールの受信者のメールアドレスが秘匿グループアドレスであることを確認し、かつ上記秘匿グループアドレスと上記秘匿グループ内の連絡先との対応関係に基づいて上記メールの送信者が秘匿グループ内の連絡先に属することを確認した時、上記メールの送信者のメールアドレスを上記秘匿グループアドレスに置き換える置換ユニットと、
上記秘匿グループ内の上記メールの送信者以外の連絡先へ上記メールを送る第二伝送ユニットと、を含む。
【発明の効果】
【００１０】
本発明に係る上記技術構想によれば、送信者のメールアドレスを秘匿グループアドレスに置き換えることにより、送信者のメールアドレス情報の秘匿を実現することができる。
【図面の簡単な説明】
【００１１】
【図１】図１は、本発明の1つの実施例に係るメールアドレス情報の秘匿方法のフローチャートを示す概略図である。
【図２】図２は、本発明の1つの実施例に係るメールアドレス情報の秘匿装置の構成を示す概略図である。
【図３】図３は、本発明の1つの実施例に係るメールアドレス情報の秘匿装置の構成を示す概略図である。
【図４】図４は、本発明の他の実施例に係るメールアドレス情報の秘匿方法のフローチャートを示す概略図である。
【図５】図５は、本発明の他の実施例に係るメールアドレス情報の秘匿装置の構成を示す概略図である。
【図６】図６は、本発明の他の実施例に係るメールアドレス情報の秘匿装置の構成を示す概略図である。
【図７】図７は、本発明の1つの実施例に係るメールアドレス情報の秘匿方法の応用場面を示す概略図である。
【図８】図８は、本発明の1つの実施例に係るメールアドレス情報の秘匿方法の応用場面を示す概略図である。
【発明を実施するための形態】
【００１２】
以下に、本発明の実施例に係る図面と共に、本発明の実施例に係る技術構想を明確に説明する。説明する実施例は、本発明の一部の実施例に過ぎず、全部の実施例でないことが明らかである。本発明の実施例に基づいて、当業者が創造的労働をせずに得られる他の実施例は、全て本発明の保護範囲に属する。
以下に図面を参照しながら本発明の実施例を詳しく説明する。
【００１３】
図１に示すように、本発明の実施例に係るメールアドレスの秘匿方法は、下記ステップを含む。
ステップ１１：送信者がメールを送る時、秘匿グループアドレスを取得する。
ステップ１２：送信者のメールアドレスを秘匿グループアドレスに置き換え、受信者のメールアドレスへメールを送る。
本発明の実施例に係るメールアドレスの秘匿方法を実施する主体は、メールサーバ又はメールクライアントであってよい。
【００１４】
本発明に係る上記技術構想によれば、送信者のメールアドレスを秘匿グループアドレスに置き換えることにより、送信者のメールアドレス情報の秘匿を実現することができる。
ステップ１１において、送信者がメールを送る前に、本発明の実施例に係るメールアドレスの秘匿方法は、さらに、送信者から差出者としての作成リクエストを受けて連絡先からなる秘匿グループを作成するステップを含むことができる。そのうち、上記連絡先は、送信者と受信者とを含む。
【００１５】
例示的に、送信者は、受信者へメールを送りたい時、１つ又は複数の受信者のメールアドレスをアドレス欄に直接入力するか又は選択して入力する。送信者は、差出者として送信者と受信者とからなる秘匿グループを作成する。
【００１６】
また、ステップ１１において秘匿グループアドレスを取得する方法は、ランダム生成された秘匿グループアドレスを取得するステップを含むことができる。好ましくは、「短縮ＵＲＬマッピングアルゴリズム」を用いることにより、唯一かつ不可逆な秘匿グループアドレスをランダム生成することができる。
秘匿グループアドレスは、ユーザ名とドメイン名アドレスとを含むことができる。
【００１７】
秘匿グループアドレスのユーザ名は、送信者のメールアドレスのユーザ名及び／又は受信者のメールアドレスのユーザ名に基づいて暗号化アルゴリズムにより得られたユーザ名を含むことができる。
秘匿グループアドレスのドメイン名アドレスは、送信者のメールアドレスのドメイン名アドレスを含むことができる。
【００１８】
上記のように、秘匿グループアドレスはメールアドレス基準を満足するため、秘匿グループアドレスへ送られたメールは、さらなる処理を行うため正確なメールサーバへ正確に伝送され、各種メールクライアント及びＷｅｂｍａｉｌ（Ｗｅｂメール送受信システム）は秘匿グループアドレスのメールを受けることができる。
【００１９】
秘匿グループアドレスを普通のメールアドレスと区別するため、秘匿グループアドレスに一定の規則を満足させることができる。例えば、秘匿グループアドレスのユーザ名は、さらに、秘匿グループ識別子を含むことができる。秘匿グループ識別子により、このアドレスは秘匿グループアドレスであることを直接に確認することができる。
【００２０】
ランダム生成された秘匿グループアドレスを取得した後、本発明の実施例に係るメールアドレスの秘匿方法は、さらに、秘匿グループアドレスと秘匿グループ内の連絡先との対応関係を記憶するステップを含むことができる。
例えば、マッピングテーブルにより秘匿グループアドレスと秘匿グループ内の連絡先との対応関係を記憶することができる。
【００２１】
例えば、メールアドレスがａｄｍｉｎ＠ｑｑ.ｃｏｍである送信者がメールを送ろうとし、メールの受信者のメールアドレスは、Ａ＠ｑｑ.ｃｏｍ、Ｂ＠１６３.ｃｏｍ、Ｃ＠ｓｏｈｕ.ｃｏｍ及びＤ＠ｑｑ.ｃｏｍを含むとする。
【００２２】
ａｄｍｉｎ＠ｑｑ.ｃｏｍ、Ａ＠ｑｑ.ｃｏｍ、Ｂ＠１６３.ｃｏｍ、Ｃ＠ｓｏｈｕ.ｃｏｍ及びＤ＠ｑｑ.ｃｏｍに基づいてＤＥＭＯ＠ｑｑ.ｃｏｍという秘匿グループアドレスを生成し、かつ秘匿グループ識別子を加えた後の秘匿グループアドレスはＳＧ_ＤＥＭＯ＠ｑｑ.ｃｏｍとする。
【００２３】
例えば、以下のようにマッピングテーブルにより秘匿グループアドレスと秘匿グループ内の連絡先との対応関係を記憶する。
2013541298.tif 000003
【００２４】
好ましくは、送信者のメールアドレスを秘匿グループアドレスに置き換え、受信者のメールアドレスへメールを送るというステップ１２は、受信者の数に基づいて対応する一対一のメールを生成し、受信者のメールアドレスへ上記メールを送ることを含む。上記一対一のメールは、例えば、メールの中の送信者のメールアドレスが秘匿グループアドレスであるほか、他の受信者のメールアドレス情報も含まないメールである。
【００２５】
すなわち、メールの受信者が複数である場合、送信者のメールアドレスを秘匿グループアドレスに置き換え、それぞれの受信者のメールアドレスへ一対一のメールを送る。
【００２６】
上記のように、送信者のメールアドレスを秘匿グループアドレスに置き換えることで、受信者にとって、送信者のメールアドレス情報の秘匿は、受信者がメールを転送する時に、送信者のメールアドレス情報を漏洩することを防止することができる。また、一対一のメールを用いることで、受信者に対しそのメールの他の受信者の情報が分からないようにすることができる。
【００２７】
好ましくは、本発明の実施例に係るメールアドレスの秘匿方法は、さらに、メールの本文において送信者の身分情報を述べることを含む。
送信者の身分情報は、送信者のメールアドレス以外の他の情報、例えば、送信者の姓名等を含むことができる。
上記のように、受信者には送信者のメールアドレス情報が秘匿されるため、メールの本文にて、送信者の他の身分情報を述べることができる。
【００２８】
好ましくは、差出者が作成する秘匿グループに基づいて、本発明の実施例に係るメールアドレスの秘匿方法は、さらに、秘匿グループアドレスと秘匿グループ内の連絡先との対応関係における差出者を標記することを含む。
【００２９】
好ましくは、本発明の実施例に係るメールアドレスの秘匿方法は、さらに、差出者から返信設定のリクエストを受け、メールは返信可能かどうかを設定することを含む。
【００３０】
上記のように、差出者は、メールは「返信可能かどうか」を設定することをリクエストすることができる。つまり、メールは周知するだけで返信する必要のないものもある一方、返信可能なメールもある。
【００３１】
好ましくは、本発明の実施例に係るメールアドレスの秘匿方法は、さらに、差出者から有効期限設定のリクエストを受けて秘匿グループアドレスと秘匿グループ内の連絡先との対応関係を記憶する有効期限を設定することを含む。
【００３２】
上記により、メールが返信可能である場合、差出者は秘匿グループアドレスと秘匿グループ内の連絡先との対応関係を記憶する有効期限を設定することをリクエストすることができる。有効期限が過ぎると、秘匿グループアドレスと秘匿グループ内の連絡先との対応関係を削除する。
【００３３】
好ましくは、本発明の実施例に係るメールアドレスの秘匿方法、さらに、差出者から秘匿グループの属性を変更するという変更リクエストを受けることを含む。
【００３４】
秘匿グループの属性を変更することは、秘匿グループを閉鎖し、秘匿グループアドレスと秘匿グループ内の連絡先との対応関係を削除することを含むことができる。
上記により、差出者は秘匿グループの属性を変更することをリクエストすることができる。例えば、いつでも秘匿グループを閉鎖することができる。
【００３５】
好ましくは、本発明の実施例に係るメールアドレスの秘匿方法は、さらに、差出者からチェックリクエストを受けて秘匿グループ内の連絡先のメール返信の状況を調べることを含む。
【００３６】
上記により、メールが返信可能である場合において、差出者は、秘匿グループ内の連絡先のメール返信の状況、例えば、秘匿グループ内の連絡先のメール返信の順番を調べる権限を持つ。差出者は、秘匿グループ内の連絡先のメール返信の状況を調べることにより、連絡先はメールを返信する時にメール本文にて他人の身分をなりすますかどうかを判断する。
【００３７】
図２に示すように、上記実施例のメールアドレスの秘匿方法に対応して、本発明の実施例は、下記ユニットを含むメールアドレスの秘匿装置を提供する。
取得ユニット２１：送信者がメールを送る時、秘匿グループアドレスを取得するユニット、
第一伝送ユニット２２：送信者のメールアドレスを秘匿グループアドレスに置き換え、受信者のメールアドレスへメールを送るユニット。
【００３８】
本発明の実施例に係るメールアドレスの秘匿装置は、単独で設置することができる。また、メールサーバと一体に設置することもできる。
【００３９】
本発明に係る上記技術構想によれば、送信者のメールアドレスを秘匿グループアドレスに置き換えることにより、送信者のメールアドレス情報の秘匿を実現する。
【００４０】
好ましくは、第一伝送ユニット２２は、具体的に、受信者の数に基づいて、対応する一対一のメールを生成し、受信者のメールアドレスへ上記メールを送る。
上記により、一対一のメールを用いることにより、受信者に対し上記メールの他の受信者の情報が分からないようにすることを実現する。
【００４１】
図３に示すように、本発明の実施例に係るメールアドレスの秘匿装置は、さらに、送信者から差出者としての作成リクエストを受けて連絡先からなる秘匿グループを作成する作成ユニット３１を含むことができる。その中、連絡先は送信者と受信者とを含む。
【００４２】
例示的に、送信者は、受信者へメールを送りたい時、１つ又は複数の受信者のメールアドレスを直接入力するか又は選択する。送信者は、差出者として送信者と受信者とからなる秘匿グループを作成する。
【００４３】
本発明の実施例に係るメールアドレスの秘匿装置、さらに、秘匿グループアドレスをランダム生成する生成ユニット３２を含むことができる。
好ましくは、「短縮ＵＲＬマッピングアルゴリズム」を用いることにより、唯一かつ不可逆な秘匿グループアドレスをランダム生成する。
秘匿グループアドレスは、ユーザ名とドメイン名アドレスとを含むことができる。
【００４４】
秘匿グループアドレスのユーザ名は、送信者のメールアドレスのユーザ名及び／又は受信者のメールアドレスのユーザ名に基づいて暗号化アルゴリズムにより得られたユーザ名を含むことができる。
秘匿グループアドレスのドメイン名アドレスは、送信者のメールアドレスのドメイン名アドレスを含むことができる。
【００４５】
上記により、秘匿グループアドレスはメールアドレス基準を満足するため、秘匿グループアドレスへ送られたメールは、さらなる処理を行うため正確なメールサーバへ正確に伝送され、各種メールクライアント及びＷｅｂｍａｉｌは秘匿グループアドレスのメールを受けることができる。
【００４６】
秘匿グループアドレスを普通のメールアドレスと区別するため、秘匿グループアドレスのユーザ名は、一定の規則を満足することができる。例えば、秘匿グループアドレスのユーザ名は、さらに、秘匿グループ識別子を含むことができる。秘匿グループ識別子により、このアドレスは秘匿グループアドレスであることを直接に確認することができる。
【００４７】
好ましくは、本発明の実施例に係るメールアドレスの秘匿装置は、さらに、秘匿グループアドレスと秘匿グループ内の連絡先との対応関係を記憶する記憶ユニット３３を含む。
例えば、マッピングテーブルにより秘匿グループアドレスと秘匿グループ内の連絡先との対応関係を記憶する。
【００４８】
好ましくは、本発明の実施例に係るメールアドレスの秘匿装置は、さらに、秘匿グループアドレスと秘匿グループ内の連絡先との対応関係における差出者を標記する、識別子ユニットを含む。
【００４９】
本発明の実施例に係るメールアドレスの秘匿装置は、さらに、差出者から返信設定のリクエストを受け、メールは返信可能かどうかを設定する、第一設定ユニットを含むことができる。
【００５０】
好ましくは、本発明の実施例に係るメールアドレスの秘匿装置は、さらに、差出者から有効期限設定のリクエストを受けて秘匿グループアドレスと秘匿グループ内の連絡先との対応関係を記憶する有効期限を設定する、第二設定ユニットを含む。
【００５１】
好ましくは、本発明の実施例に係るメールアドレスの秘匿装置は、さらに、差出者から秘匿グループの属性を変更するという変更リクエストを受ける変更ユニットを含む。
秘匿グループの属性を変更することは、例えば、いつでも秘匿グループを閉鎖することができる。
【００５２】
好ましくは、本発明の実施例に係るメールアドレスの秘匿装置は、さらに、差出者からチェックリクエストを受けて秘匿グループ内の連絡先のメール返信の状況を調べる、チェックユニットを含む。
【００５３】
本発明の実施例に係るメールアドレス情報の秘匿装置及びその構成は、上記実施例のメールアドレス情報の秘匿方法に対応することを理解することができるため、ここではさらなる説明を省略する。
【００５４】
図４に示すように、図１に示す実施例に係るメールアドレスの秘匿方法に対応するように、本発明の実施例は、下記ステップを含むメールアドレスの秘匿方法を提供する。
【００５５】
ステップ４１：メールを受ける。
ステップ４２：メールの受信者のメールアドレスが秘匿グループアドレスであることを確認し、かつ秘匿グループアドレスと秘匿グループ内の連絡先との対応関係に基づいてメールの送信者が秘匿グループ内の連絡先に属することを確認した時、メールの送信者のメールアドレスを秘匿グループアドレスに置き換える。
ステップ４３：秘匿グループ内のメールの送信者以外の連絡先へメールを送る。
本発明の実施例に係るメールアドレス情報の秘匿方法を実施する主体は、メールサーバ又はメールクライアントであってよい。
【００５６】
本発明に係る上記技術構想によれば、受けたメールは返信メール（返信メールと称す）である時、返信メールの送信者（返信者と称す）のメールアドレスを秘匿グループアドレスに置き換えることにより、送信者のメールアドレス情報の秘匿を実現する。
【００５７】
好ましくは、本発明の実施例に係るメールアドレスの秘匿方法は、さらに、秘匿グループ識別子に基づいてメールの受信者のメールアドレスは秘匿グループアドレスであるかどうかを確認するステップを含む。
【００５８】
上記により、秘匿グループアドレスはメールサービス基準を満足し、秘匿グループアドレスを普通のメールアドレスと区別するため、秘匿グループアドレスのユーザ名は、さらに、秘匿グループ識別子を含むことができる。このため、メールを受けた後、秘匿グループ識別子により、メールのアドレスは秘匿グループアドレスであるかどうかを直接に確認することができる。
【００５９】
好ましくは、本発明の実施例に係るメールアドレスの秘匿方法、さらに、秘匿グループアドレスと秘匿グループ内の連絡先との対応関係のマッピングテーブルが存在するかどうかを確認するステップを含む。
【００６０】
上記より、秘匿グループアドレスと秘匿グループ内の連絡先との対応関係のマッピングテーブルは有効期限が存在し、一旦有効期限が過ぎると、メールサーバは対応するマッピングテーブルを削除する。
【００６１】
有効期限内に、秘匿グループアドレスと秘匿グループ内の連絡先との対応関係のマッピングテーブルが存在することを確認し、秘匿グループアドレスと秘匿グループ内の連絡先との対応関係に基づいて、メールの送信者は秘匿グループ内の連絡先に属するかどうかを確認する。
【００６２】
好ましくは、本発明の実施例に係るメールアドレスの秘匿方法は、さらに、メールの本文において送信者の身分情報を述べることを含む。
送信者の身分情報は、送信者のメールアドレス以外の他の情報、例えば、送信者の姓名等を含むことができる。
【００６３】
返信者のメールアドレスが秘匿グループアドレスに置き換えられるため、本文において返信者の身分情報を説明する場合、返信者は他の連絡先の身分をなりすます可能性がある。このため、差出者は、メールサーバが受けたオリジナルの返信メール（即ち、送信した人のアドレスがまだ秘匿グループアドレスに置き換えられなかった前のメール）を調べることにより、返信者は他人の身分をなりすましているかどうかを判断することができる。
【００６４】
具体的に、秘匿グループ内のメールの送信者以外の連絡先へメールを送るというステップ４３は、秘匿グループ内のメールの送信者以外の連絡先に対してそれぞれ一対一のメールを送る。
【００６５】
図５に示すように、上記実施例に係るメールアドレスの秘匿方法に対応するように、本発明の実施例は、下記ユニットを含むメールアドレスの秘匿装置を提供する。
受信ユニット５１、メールを受けるユニット、
置換ユニット５２、メールの受信者のメールアドレスが秘匿グループアドレスであることを確認し、かつ秘匿グループアドレスと秘匿グループ内の連絡先との対応関係に基づいてメールの送信者が秘匿グループ内の連絡先に属することを確認した時、メールの送信者のメールアドレスを秘匿グループアドレスに置き換えるユニット、及び
第二伝送ユニット５３、秘匿グループ内のメールの送信者以外の連絡先へメールを送るユニット。
【００６６】
本発明の実施例に係るメールアドレス情報の秘匿装置は、単独で設置することができる。また、メールサーバと一体に設置することもできる。
【００６７】
本発明に係る上記技術構想によれば、受けたメールは返信メールである時、返信メールの送信者のメールアドレスを秘匿グループアドレスに置き換えることにより、送信者のメールアドレス情報の秘匿を実現することができる。
【００６８】
図６に示すように、本発明の実施例に係るメールアドレスの秘匿装置は、さらに、秘匿グループ識別子に基づいてメールの受信者のメールアドレスは秘匿グループアドレスであるかどうかを確認する、確認ユニット６１を含むことができる。
【００６９】
本発明の実施例に係るメールアドレス情報の秘匿装置及びその構成は、上記実施例のメールアドレス情報の秘匿方法に対応することを理解することができるため、ここではさらなる説明を省略する。
【００７０】
図７に示すように、具体的な応用場面と共に、本発明の実施例に係るメールアドレスの秘匿方法を説明する。本発明の実施例に係るメールアドレスの秘匿方法は、以下のステップを含む。
【００７１】
例えば、送信者のメールアドレスはａｄｍｉｎ＠ｑｑ.ｃｏｍであり、１人の受信者のメールアドレスはＡ＠ｑｑ.ｃｏｍであり、１人の受信者のメールアドレスはＢ＠１６３.ｃｏｍであり、１人の受信者のメールアドレスはＣ＠ｓｏｈｕ.ｃｏｍであり、１人の受信者のメールアドレスは、Ｄ＠ｑｑ.ｃｏｍであるとする。
【００７２】
ステップ７１：送信者は、アドレス欄に複数の受信者のメールアドレスを書き込む。
送信者は、アドレス欄に複数の受信者のメールアドレスを書き込む時、秘匿方式によりメールを送ることを選択することができ、続いてステップ７２へ進む。
【００７３】
送信者は、アドレス欄に複数の受信者のメールアドレスを書き込んだ後、差出者として秘匿グループを作成することができる。秘匿グループのメンバーは、送信者及び複数の受信者を含むことができる。秘匿グループのメンバーは、それぞれ１つのメールアドレスに対応する。
【００７４】
ステップ７２：送信者のメールアドレスが属するメールサーバは、自動的に不可逆的かつ唯一のマッピングの秘匿グループアドレス、例えばＤＥＭＯ＠ｑｑ.ｃｏｍを生成する。
例えば、送信者のメールアドレスであるａｄｍｉｎ＠ｑｑ.ｃｏｍが属するメールサーバが、ＱＱ.ｃｏｍサーバであるとする。
【００７５】
例示的に、以下に「短縮ＵＲＬマッピングアルゴリズム」により秘匿グループアドレスを生成することに関する１つの構想を示す。しかし、具体的な実現手段はその技術に限定されない。
【００７６】
（１）グループ内のメンバーのメールアドレスの文字列をＭＤ５（Ｍｅｓｓａｇｅ-Ｄｉｇｅｓｔ Ａｌｇｏｒｉｔｈｍ ５、ＭＤ５アルゴリズム）により、３２ビットのサイン文字列を生成し、４段に分けられ、それぞれの段は８バイトである。
【００７７】
（２）上記４段に対して循環処理を行い、８バイトを１６進数の文字列とみなし、０ｘ３ｆｆｆｆｆｆｆ（３０ビットの１）とＡＮＤ演算を行い、即ち、３０ビットを超えたら省略する。
【００７８】
（３）上記３０ビットは、６段に分けられ、５ビットごとの数字を字母表の索引として特定のキャラクタを取得し、順に行うことにより、６ビットのキャラクタ文字列を得る。
【００７９】
（４）合計でｍｄ５文字列は４つの６ビットの文字列を得ることができる。中の任意の１つをもって、送信者のメールボックスのドメインアドレスを加えることにより、秘匿グループアドレスとすることができる。
【００８０】
ステップ７３：メールサーバは、秘匿グループアドレスに対して秘匿グループ識別子、例えばＳＧを加える。秘匿グループ識別子を加えた後の秘匿グループアドレスはＳＧ_ＤＥＭＯ＠ｑｑ.ｃｏｍとなる。
ステップ７４：メールサーバは、送信者のメールアドレスを秘匿グループアドレスに置き換える。
【００８１】
ステップ７５：メールサーバは、秘匿グループアドレスと送信者のメールアドレス及び複数受信者のメールアドレスとの間のマッピング関係を記憶し、マッピングテーブルを生成する。
【００８２】
例えば、ＳＧ_ＤＥＭＯ＠ｑｑ.ｃｏｍとａｄｍｉｎ＠ｑｑ.ｃｏｍと受信者のメールアドレスとの間のマッピング関係を記憶し、以下のようにマッピングテーブルを生成する。
2013541298.tif 000004
【００８３】
また、マッピングテーブルの有効期限を設定することができる。一旦有効期限が過ぎると、メールサーバは対応するマッピングテーブルを削除することができる。
ステップ７６：メールサーバは、秘匿グループ内のメンバーのアドレスの数ｎに基づいて、ｎ-１（送信者自身を除く）通の一対一のメールを生成する。
例示的に、この例においてはｎ=５である。
ステップ７７：メールサーバは、ｎ-１通のメールを送る。
例示的に、この例においてはｎ=４である。
【００８４】
また、マッピングテーブルを作成する時、ａｄｍｉｎ＠ｑｑ.ｃｏｍの「差出者」の身分を識別することができる。差出者は、マッピングテーブルの有効期限内に、秘匿グループの属性を変更することができる。例えば、いつでも秘匿グループを閉鎖することができる。
【００８５】
差出者は、メールは「返信可能かどうか」を設定することができる。つまり、メールは周知するだけで返信する必要のないものもある一方、マッピングテーブルの有効期限内に返信することが必要なメールもある。
差出者は、秘匿グループのメンバーのメール返信の順番を調べる権限を持ち、メンバーがメールを返信する時に他人の身分をなりすます状況を判断する。
【００８６】
本発明に係る上記技術構想によれば、送信者のメールアドレスを秘匿グループアドレスに置き換えることにより、送信者のメールアドレス情報の秘匿を実現する。
【００８７】
図７に示すように、秘匿グループはａｄｍｉｎ＠ｑｑ.ｃｏｍ、Ａ＠ｑｑ.ｃｏｍ、Ｂ＠１６３.ｃｏｍ、Ｃ＠ｓｏｈｕ.ｃｏｍ及びＤ＠ｑｑ.ｃｏｍにより構成される。ａｄｍｉｎ＠ｑｑ.ｃｏｍのメールアドレスである送信者がメールを送った後、メールサーバは、Ｂ＠１６３.ｃｏｍのメールアドレスである返信メールを受ける。
【００８８】
図８に示すように、具体的な応用場面と共に本発明の実施例に係るメールアドレスの秘匿方法を説明する。本発明の実施例に係るメールアドレスの秘匿方法は、以下のステップを含む：
【００８９】
ステップ８１：メールサーバは、Ｂ＠１６３.ｃｏｍから受信者がＳＧ_ＤＥＭＯ＠ｑｑ.ｃｏｍである返信メールを受ける。即ち、送信者（返信者と称す）のメールアドレスはＢ＠１６３.ｃｏｍであり、受信者のメールアドレスはＳＧ_ＤＥＭＯ＠ｑｑ.ｃｏｍである。この例において、メールサーバはＱＱ.ｃｏｍサーバである。
【００９０】
ステップ８２：メールサーバは、秘匿グループ識別子により、受信者のメールアドレスであるＳＧ_ＤＥＭＯ＠ｑｑ.ｃｏｍは秘匿グループアドレスであるかどうかを判断する。「はい」の場合は、ステップ８３へ進み、「いいえ」の場合は、普通のメールのように処理する。
【００９１】
ステップ８３：メールサーバは、秘匿グループアドレスであるＳＧ_ＤＥＭＯ＠ｑｑ.ｃｏｍに対応するマッピングテーブルが存在するかどうかを検索かつ確認する。「はい」の場合は、ステップ８４へ進み、「いいえ」の場合は、メールの返却処理を行う。
例えば、マッピングテーブルは以下のようである。
2013541298.tif 000005
【００９２】
ステップ８４：メールサーバは、返信者のメールアドレスであるＢ＠１６３.ｃｏｍがマッピングテーブルに存在するかどうかを検索かつ確認する。「はい」の場合は、ステップ８５へ進み、「いいえ」の場合は、メールの返却処理を行う。
【００９３】
例えば、マッピングテーブルは以下のようである。
2013541298.tif 000006
【００９４】
さらに、マッピングテーブル内の他のメールアドレスである、Ａ＠ｑｑ.ｃｏｍ、Ｃ＠ｓｏｈｕ.ｃｏｍ、Ｄ＠ｑｑ.ｃｏｍ及びａｄｍｉｎ＠ｑｑ.ｃｏｍを得ることができる。
【００９５】
ステップ８５：メールサーバは、マッピングテーブル内の全てのメールアドレスの数ｎに基づいてｎ-１（返信者自身を除く）通の一対一のメールを生成し、かつ返信者のメールアドレスであるＢ＠１６３.ｃｏｍを秘匿グループアドレスＳＧ_ＤＥＭＯ＠ｑｑ.ｃｏｍに置き換える。受信者は、マッピングテーブル内の返信者のメールアドレス以外の全てのメールアドレスである。
例示的に、この例においてはｎ=４である。
ステップ８６：メールサーバは、ｎ-１通のメールを配送する。
例示的に、この例においてはｎ=４である。
【００９６】
上記ステップ８３において、設定されたマッピングテーブルの有効期限が過ぎると、メールサーバは、秘匿グループアドレスに対応するマッピングテーブルを見つけることができない。また、返信者には「受信者のアドレスは存在しない」というメッセージを含むメールを返却する。
【００９７】
また、上記ステップ８４において、秘匿グループ内のメンバーは、メールに対して返信することができる。しかし、秘匿グループ以外の人は、秘匿グループアドレスを通じて秘匿グループ内のメンバーへメールを返信することができない。もし秘匿グループ以外の人がメールを返信すると、秘匿グループ以外の人には、「受信者のアドレスは存在しない」というメッセージを含むメールを返却する。
【００９８】
本発明に係る上記技術構想によれば、受けたメールは返信メールである場合、返信メールの送信者のメールアドレスを秘匿グループアドレスに置き換えることにより、送信者のメールアドレス情報の秘匿を実現する。
【００９９】
本発明が提供する上記実施例において、開示したシステム、装置及び方法は、他の方式により実現することができることが明らかである。例えば、以上に説明した装置の実施例は、概略的であり、上記ユニットの分割は、ロジック機能分割に過ぎず、実際には、他の分割方式により実現することができる。例えば、複数のユニット又は組立品を他のシステムに組み合せるか、又は集成化することができる。また、いくつかの特徴を省略するか、又は実施しないことも可能である。さらに、示された又は説明された相互の結合又は直接結合又は通信接続は、インターフェースや、装置、ユニットを通じての間接結合又は通信接続であってよい。また、電気的結合、機械的結合、又は他の形式であってよい。
【０１００】
以上に独立した部品として説明したユニットは、物理的に離れていてもよく、離れていなくてもよい。ユニットとして示した部品は、物理ユニットであってもよく、でなくてもよい。即ち、１つの場所に存在してもよく、又は複数のネットワークユニットに散在してもよい。実際の需要に基づいて、中から一部又は全部のユニットを選択して本実施例の目的を実現することができる。
【０１０１】
他に、本発明のそれぞれの実施例における各機能ユニットは、１つの処理ユニットに集成化することができる。また、それぞれのユニットが物理的に単独で存在することもできる。又は、２つ又は２つ以上のユニットが１つのユニットに集成化することもできる。上記集成化ユニットは、ハードウェアの形式により実現することができ、又はソフトウェア機能ユニットの形式により実現することもできる。
【０１０２】
上記集成化ユニットは、ソフトウェア機能ユニットの形式により実現し、かつ単独の製品として販売又は使用する場合、１つのコンピュータ読み取り可能な記憶媒体に記憶することができる。上記理解に基づいて、本発明の技術構想は、本質的に、或いは先行技術に対して貢献する部分、或いは該当技術構想の全部又は一部がソフトウェア製品の形式により具現することができる。該当コンピュータソフトウェア製品を１つの記憶媒体に記憶することは、一台のコンピュータ設備（個人コンピュータ、サーバ、或いはネットワーク設備等であってよい）により、本発明の各実施例に係る上記方法の全部又は一部のステップを実施する、幾つかのコマンドを含む。なお、上記記憶媒体は、ＵＳＢフラッシュメモリー、ポータブルハードディスク、読取り専用記憶装置（ＲＯＭ、Ｒｅａｄ-Ｏｎｌｙ Ｍｅｍｏｒｙ）、ランダムアクセス記憶装置（ＲＡＭ、Ｒａｎｄｏｍ Ａｃｃｅｓｓ Ｍｅｍｏｒｙ）、磁気ディスク或いは光ディスクなど、プログラムコードを記憶可能な各種媒体を含むことができる。
【０１０３】
上記内容は、本発明の好適な実施例の具体的な実施方式に過ぎないため、本発明の保護範囲は上記内容に制限されない。当業者が本発明の開示した技術範囲内で容易に想到しえる変更又は置換は、本発明の保護範囲内に含まれるべきである。従って、本発明の保護範囲は、下記特許請求の範囲により定義される。
【産業上の利用可能性】
【０１０４】
本発明メールアドレス情報の秘匿方法及び装置は、送信者のメールアドレスを秘匿グループアドレスに置き換えることにより、送信者のメールアドレス情報の秘匿を実現する。
【図１】
2013541298.tif 000007
【図２】
2013541298.tif 000008
【図３】
2013541298.tif 000009
【図４】
2013541298.tif 000010
【図５】
2013541298.tif 000011
【図６】
2013541298.tif 000012
【図７】
2013541298.tif 000013
【図８】
2013541298.tif 000014
【国際調査報告】
2013541298.tif 000015
2013541298.tif 000016
2013541298.tif 000017
2013541298.tif 000018
2013541298.tif 000019
2013541298.tif 000020